(57)【要約】【課題】ガラス等を用いた透明な面に設置する場合に、正面はもとより側方から見る人にも点灯を容易に確認することができ、しかも見栄えが良いホールランタンを提供する。【解決手段】透明なガラス２に設置されるホールランタン１であって、光拡散性を有する樹脂組成物からなる表示体２０と、表示体２０に内設され表示体２０の表面２４に対し平行若しくは傾斜する方向にも照射する発光ダイオード３０とを備えた対の表示器具（１０Ａ，１０Ｂ）を、ガラス２介し連結した。【選択図】図１
2009258266.tif 000002
【特許請求の範囲】
【請求項１】
透明な面を一部分若しくは全部に有する壁面等に設置される表示装置であって、光拡散性を有する樹脂組成物からなる表示体と、前記表示体に内設される発光ダイオードとを備えた表示器具が、前記透明な面を介し対となって連結されていることを特徴とする表示装置。
【請求項２】
前記発光ダイオードは、少なくともいずれか一方が前記表示体の表面に対し平行若しくは傾斜する方向にも照射する発光ダイオードであることを特徴とする請求項１に記載の表示装置。
【請求項３】
前記透明な面がガラスで形成されていることを特徴とする請求項１若しくは２に記載の表示装置。
【請求項４】
前記表示装置がエレベータホールに使用されるホールランタンであることを特徴とする請求項１乃至３のいずれかに記載の表示装置。
【発明の詳細な説明】
【技術分野】
【０００１】
本発明は、発光ダイオードを使用した表示装置に関し、更に詳しくはエレベータが運行するエレベータホールの壁面等に設置される発光ダイオードを使用した表示装置に関する。
【背景技術】
【０００２】
エレベータが運行するエレベータホールの壁面には、図７に示すような通常ホールランタン１０１と呼ばれる表示装置が各エレベータ１０２の出入口１０３の上壁１０４若しくは側壁１０５等に設置されている。このホールランタン１０１は、側壁１０５に設置されている乗場釦１０６を押すことで、各エレベータ１０２に設置されている中のひとつが点灯若しくは点滅（以下単に「点灯」という。）し、どのエレベータ１０２が最も早く来るかを表示すると共にエレベータ１０２が到着したことを知らせるものであり、エレベータホール１０７にいる全ての人に点灯している状態を分からせる必要がある。そのためホールランタン１０１が点灯する場合には、ホールランタン１０１の壁面より突出している部分１０９を光源の色に変色させ、正面にいる人だけでなく側方にいる人にも点灯している状態を確認できるようにする必要がある。
【０００３】
従来のホールランタン１０１は、図８、図９に示す通り、壁面１１１に開設された取付穴１１２に嵌め込まれたケース１１３の底面１１４に光源として光を拡散するランプ１１５が配設され、ケース１１３の開口部を閉塞するように突起状の樹脂からなる表示体１０８を組み込んだケース蓋１１６が嵌め込まれる構造を採用していた。この構造を採用することで、表示体１０８とランプ１１５との間に所定の距離を確保し表示体１０８全体をランプ１１５の色に変色させ、正面にいる人だけでなく側方にいる人にも点灯している状態を確認できるようにしていた。
【０００４】
近年、図１０に示すとおり、光源にランプ１１５の代替として発光ダイオード１２１を用いることが行われており、これによりホールランタン１０１の奥行きをｈ２にすることができ、図９に示すランプ１１５の場合の奥行きｈ１と比較し、発光ダイオード１２１に変更した分（ｈ１−ｈ２）だけ奥行きを薄くすることが可能となった。しかし、ホールランタンの奥行きを更に薄くするため発光ダイオードの周囲を直接表示体で覆うと、一般に使用されている従来の発光ダイオードは指向性が高く前方に向かって照射するので前面部しか変色せず、正面から見る人には表示体が点灯していることが分かるが、側方から見る人には表示体が点灯していることが分かり難くいとの不具合があり、そのため表示体を光拡散性を有する樹脂にすることが行われているが（下記特許文献１を参照）、十分な対策とはなっていなかった。
【０００５】
また、近年耐圧等に優れたガラスの進歩が著しく、それに伴い外部の景色を見ることができるようエレベータホールの壁面等の一部分若しくは全部に透明なガラスを採用することが行われている。図１１に示すとおり、この透明な面であるガラス１３１にホールランタン１０１を設置する場合、表示体１０８と光源である発光ダイオード１２１との間に所定の距離を確保しているためホールランタン１０１の奥行きｈ３が厚く、ケース１１３の開口部を閉塞している表示体１０８を含めたホールランタン１０１全体をガラス１３１より壁側Ｂ（反ホール側）に位置するよう設置する必要があった。そのため、ホール側Ａでエレベータを待っている人は、ガラス１３１を通して表示体１０８を見るので点灯が分かり難く、またホールランタン１０１が設置されている周囲がガラス１３１であるため明るく点灯していることの確認が難しいとの不具合があった。また、ガラスに取付穴を開設し、表示体だけをガラスよりホール側に突出させて設置することも可能であるが、この場合も周囲がガラスであるため明るく点灯していることの確認が難しくとの不具合は解決できず、しかもガラスを介し反対側の壁側に位置するケースが間近に見えるので外観上見栄えが良くないとの不具合もあった。
【０００６】
【特許文献１】特開２００５−２４７９９９
【発明の開示】
【発明が解決しようとする課題】
【０００７】
本発明は、かかる上述の問題点を解決するためになされたものであって、その目的とするところは、ガラス等を用いた透明な面に設置される場合に、正面はもとより側方から見る人にも点灯が容易に確認でき、しかも透明な面を通して見える設置状態について、見栄えが良い表示装置を提供することである。
【課題を解決するための手段】
【０００８】
上記目的を達成するため、本発明の請求項１に係る表示装置は、透明な面を一部分若しくは全部に有する壁面等に設置される表示装置であって、光拡散性を有する樹脂組成物からなる表示体と、前記表示体に内設される発光ダイオードとを備えた表示器具が、前記透明な面を介し対となって連結されていることを特徴とするものである。
【０００９】
また、本発明の請求項２に係る表示装置は、請求項１に記載の表示装置であって、前記発光ダイオードは、少なくともいずれか一方が前記表示体の表面に対し平行若しくは傾斜する方向にも照射する発光ダイオードであることを特徴とするものである。
【００１０】
また、本発明の請求項３に係る表示装置は、請求項１若しくは２に記載の表示装置であって、前記透明な面がガラスで形成されていることを特徴とするものである。
【００１１】
また、本発明の請求項４に係る表示装置は、請求項１乃至３のいずれかに記載の表示装置であって、前記表示装置がエレベータホールに使用されるホールランタンであることを特徴とするものである。
【発明の効果】
【００１２】
本発明は、以下の効果を奏する。
【００１３】
すなわち、上記構成を備えた表示装置は、光源である発光ダイオードを表示体に内設し、表示体と発光ダイオードとの間に所定の距離を確保しない奥行きの薄い表示器具を用いるので、透明な面を介しホール側と壁側とで表示器具を対として連結することができる。よって、透明な面を介し表示器具が対となって設置されているので、従来の表示器具が１個設置されている場合より照度が略倍となり、周囲がガラスにより明るい場合あってもホール側でエレベータを待っている人は、点灯していることの確認を容易にすることができる。
【００１４】
また、請求項２に示すように、光拡散性を有する樹脂で成形されている表示体に内設されている発光ダイオードは、表示体の表面に対し平行若しくは傾斜する方向にも照射すると、発光ダイオードを被覆している表示体の前面部はもとより周辺部も変色させることができ、ホール側でエレベータを待っている人は、正面から見る場合は勿論側方から見る場合でも容易に点灯を確認することができる。特に、透明な面よりホール側に位置している表示器具は、ホール側にいる人が横若しくは斜めより見る場合が多いので、少なくともいずれか一方に使用する場合には、ホール側の表示器具に使用すると好適である。
【００１５】
更に、透明な面を通して見える壁側には、ケースが存在せず表示体のみが見えるので、表示装置の設置状態の見栄えを向上することができる。
【発明を実施するための最良の形態】
【００１６】
つぎに本発明の実施形態を図面にしたがって説明する。
【００１７】
図１は、本発明に係る表示装置（ホールランタン）の説明図である。図２乃至図６は、本発明に係る表示装置の組み立て状態を示す説明図である。
【００１８】
本発明に係るホールランタン１は、図１に示す通り、ガラス２を介し対となっている表示器具（１０Ａ，１０Ｂ）と、丸パイプ５０とを備え、対の表示器具（１０Ａ，１０Ｂ）は共に、表示体２０と、発光ダイオード３０を備えている。
【００１９】
表示体２０は、図２に示す通り、ホール側Ａ・壁側Ｂ共に、中央部に後述する発光ダイオード３０を嵌合させる凹部（２１Ａ，２１Ｂ）、及び両表示体（２０Ａ，２０Ｂ）を連結する丸パイプ５０をはめ込むねじ溝（２７Ａ，２７Ｂ）が形成された凹部（２２Ａ，２２Ｂ）が形成されている。更に、ホール側Ａの表示体２０Ａには、ガラス２に形成された取付穴３に嵌合する凸部２３が突設されている。表示体（２０Ａ，２０Ｂ）の材質としては、光拡散性を有する乳白アクリル樹脂を用いるのが好適である。この乳白アクリル樹脂としては、一般に市販されているものを使用することができ、例えば、日東樹脂工業株式会社製のＤＲ−ＩＶ  Ｔ２―ＡＸを使用することができる。
【００２０】
発光ダイオード３０は、図３・図４に示す通り、表示体（２０Ａ，２０Ｂ）に形成されている凹部（２１Ａ，２１Ｂ）に照射部３１が嵌合され、嵌合された照射部３１は、表示体（２０Ａ，２０Ｂ）の表面（２４Ａ，２４Ｂ）に向かって照射すると共に、表面（２４Ａ，２４Ｂ）に対して平行もしくは傾斜する方向にも照射する。このような発光ダイオード３０としては、一般に市販されているものを使用することができ、例えば、ＴＤＯグラフィックス株式会社製のシャイニングアイ（Ｌ）を使用することができる。即ち、発光ダイオード３０は、表示体（２０Ａ，２０Ｂ）に内設された状態において、照射部３１が凹部（２１Ａ，２１Ｂ）の前面部（２５Ａ，２５Ｂ）を照射すると共に、凹部（２１Ａ，２１Ｂ）の周辺部（２６Ａ，２６Ｂ）をも照射するものである。
【００２１】
丸パイプ５０は、図１・図２に示す通り、ガラス２に形成された取付穴３を貫通し、一対の表示器具（１０Ａ，１０Ｂ）を連結するもので、表示体（２０Ａ，２０Ｂ）の凹部（２２Ａ，２２Ｂ）の内周に形成されているねじ溝（２７Ａ，２７Ｂ）に螺合するねじ溝（５１Ａ，５１Ｂ）が両端の外側に形成され、中央には、ブラケット６０を止めるねじ穴５２が形成されている。
【００２２】
上記構成のホールランタン１をガラス２で形成されているエレベータホールの壁面に設置するには、図２・図３に示す通り、まず初めに壁側Ｂの表示体２０Ｂの凹部２２Ｂに形成されているねじ溝２７Ｂに、丸パイプ５０の一端に形成されているねじ溝５１Ｂを螺合させ、続いて、発光ダイオード３０Ｂを照射部３１Ｂが凹部２１Ｂに嵌合するように装着する。
【００２３】
更に、図４・図５に示す通り、ブラケット６０を丸パイプ５０の中央に形成されているねじ穴５２に挿通された図示しないボルトで固定し、そのブラケット６０にホール側Ａの表示体２０Ａに内設される発光ダイオード３０Ａを固定する。
【００２４】
更に、図６に示す通り、丸パイプ５０が螺合している壁側Ｂの表示器具１０Ｂをガラス２に押し付け、次いで、ホール側Ａの表示体２０Ａの凸部２３をガラス板２に形成されている取付穴３に嵌合させると共に、凹部２２Ａに形成されているねじ溝２７Ａを丸パイプ５０の他端に形成されているねじ溝５１Ａに螺合させることで、設置が完了する。
【００２５】
上述の通り、ホールランタン１に用いられる表示器具１０は、発光ダイオード３０が表示体２０に内設され、表示体２０の厚さが表示器具１０の厚さとなるので、表示器具１０の奥行きを薄くすることが可能となる。よって、ガラス２を介し対の表示器具（１０Ａ，１０Ｂ）を連結したホールランタン１として設置することが可能となり、１個の表示器具から構成されるホールランタンよりも照度が略倍となり、周囲がガラスで明るい場合あってもホール側でエレベータを待っている人が、ホールランタン１の点灯の確認を容易にすることが可能となる。
【００２６】
更に、ホールランタン１に用いられている発光ダイオード３０は、表示体２０に嵌合された状態で、表示体２０の表面２４に向かって照射すると共に、表面２４に対し平行若しくは傾斜する方向にも照射するので、発光ダイオード３０を被覆している表示体２０の前面部２５と周辺部２６を変色させる。従って、ホール側Ａでエレベータを待っている人は、正面から見る場合は勿論側方から見る場合でも容易にホールランタン１の点灯を確認することが可能となる。
【００２７】
更に、ガラス２を通して見える壁側Ｂには、ケースがなく表示体２０のみしか見えないので、ホールランタン１の見栄えを向上することが可能となる。
【００２８】
尚、上記実施形態では、ホール側Ａの発光ダイオード３０Ａ及び壁側Ｂの発光ダイオード３０Ｂ共に、照射部（３１Ａ，３１Ｂ）が表示体（２０Ａ，２０Ｂ）の表面（２４Ａ，２４Ｂ）に向かって照射すると共に、表面（２４Ａ，２４Ｂ）に対して平行もしくは傾斜する方向にも照射するものであったが、両方共に照射部（３１Ａ，３１Ｂ）が表示体（２０Ａ，２０Ｂ）の表面（２４Ａ，２４Ｂ）に向かって照射する通常の発光ダイオードでもよい。また、いずれか一の発光ダイオード（３０Ａまたは３０Ｂ）のみに照射部（３１Ａまたは３１Ｂ）が表示体（２０Ａまたは２０Ｂ）の表面（２４Ａまたは２４Ｂ）に向かって照射すると共に、表面（２４Ａまたは２４Ｂ）に対して平行もしくは傾斜する方向にも照射する発光ダイオードを使用し、他の発光ダイオード（３０Ｂまたは３０Ａ）は通常の発光ダイオードであっても良い。この場合、ホール側Ａの表示器具１０Ａはホールにいる人が横若しくは斜めより表示器具１０Ａを見ることが多いので、ホール側Ａの発光ダイオード３０Ａに、照射部３１Ａが表示体２０Ａの表面２４Ａに向かって照射すると共に、表面２４Ａに対して平行もしくは傾斜する方向にも照射する発光ダイオードを使用するが好適である。
【００２９】
更に、ガラス２を介し２個の表示器具（１０Ａ，１０Ｂ）を丸パイプ５０で螺合させて連結させた場合について説明したが、螺合結合に限定されるものでなく、丸パイプ５０と表示器具（１０Ａ，１０Ｂ）とを螺子・接着材等で結合させても良い。また、丸パイプ以外のものを使用して連結させても良く、更に丸パイプ２０を使用せず２個の表示器具（１０Ａ，１０Ｂ）を直接連結させても良いことは言うまでもない。
【図面の簡単な説明】
【００３０】
【図１】本発明に係る表示装置の説明図である。
【図２】本発明に係る表示装置の組み立ての状態１を示す説明図である。
【図３】本発明に係る表示装置の組み立ての状態２を示す説明図である。
【図４】本発明に係る表示装置の組み立ての状態３を示す説明図である。
【図５】本発明に係る表示装置の組み立ての状態４を示す説明図である。
【図６】本発明に係る表示装置の組み立ての状態５を示す説明図である。
【図７】ホールランタンの設置状態を示す説明図である。
【図８】従来例のホールランタンの拡大斜視図である。
【図９】図８のホールランタンの取付状態を示す断面説明図である。
【図１０】別の従来例２のホールランタンの取付状態を示す断面説明図である。
【図１１】別の従来例３のホールランタンの取付状態を示す断面説明図である。
【符号の説明】
【００３１】
１          ホールランタン（表示装置）
２          ガラス（透明な面）
３          取付穴
１０        表示器具
２０        表示体
２１，２２  凹部
２３        凸部
２４        表面
２５        前面部
２６        周辺部
２７，５１  ねじ溝
３０        発光ダイオード
３１        照射部
５０        丸パイプ
５２        ねじ穴
６０        ブラケット
Ａ          ホール側
Ｂ          壁側
【図１】
2009258266.tif 000003
【図２】
2009258266.tif 000004
【図３】
2009258266.tif 000005
【図４】
2009258266.tif 000006
【図５】
2009258266.tif 000007
【図６】
2009258266.tif 000008
【図７】
2009258266.tif 000009
【図８】
2009258266.tif 000010
【図９】
2009258266.tif 000011
【図１０】
2009258266.tif 000012
【図１１】
2009258266.tif 000013